(57)【要約】【課題】システム全体の無線ネットワーク識別番号の変更が短時間で簡単かつ確実にできる照明制御装置11を提供する。【解決手段】設定器17からの無線ネットワーク識別番号の変更指令を制御局13が受ける。制御局13に変更する無線ネットワーク識別番号を設定し、制御局13から同じ無線ネットワーク15に属する全ての子局14に変更する無線ネットワーク識別番号を設定させる。制御局13は、全ての子局14の無線ネットワーク識別番号を変更前から変更後のものにリセットさせる。制御局13が無線ネットワーク識別番号を変更前から変更後のものにリセットする。制御局13は変更後の無線ネットワーク識別番号を用いて通信する子局14を特定して変更後の無線ネットワーク15に加入させる。段階的に無線ネットワーク識別番号の設定を変更して新たな無線ネットワーク15を構築する。【選択図】図１
2007287680.tif 000002
【特許請求の範囲】
【請求項１】
無線ネットワーク識別番号を設定する設定器と；
特定の無線ネットワーク識別番号を用いる無線ネットワークを通じて通信し、照明負荷が通信可能に接続された複数の子局と；
特定の無線ネットワーク識別番号を用いる無線ネットワークを通じて同じ無線ネットワークに属する子局を通じて照明負荷を制御する制御局であって、設定器からの無線ネットワーク識別番号の変更指令を受けた際に、同じ無線ネットワークに属する全ての子局に対して変更する無線ネットワーク識別番号情報を送信して無線ネットワーク識別番号の設定を変更させた後、自己の無線ネットワーク識別番号の設定を変更し、変更後の無線ネットワーク識別番号を用いて通信する子局を特定して変更後の無線ネットワークに加入させる制御局と；
を具備していることを特徴とする照明制御装置。
【請求項２】
設定器は、制御局が子局の無線ネットワーク識別信号の設定を変更させたときに、少なくとも１つの子局から設定完了応答を制御局が得られない場合に、エラー表示を行う
ことを特徴とする請求項１記載の照明制御装置。
【発明の詳細な説明】
【技術分野】
【０００１】
本発明は、無線ネットワークを通じて制御局から複数の子局の照明負荷を制御する照明制御装置に関する。
【背景技術】
【０００２】
従来、例えば、オフィスビルや各種施設などでは、各フロアや各エリアなどの照明エリアに設置される照明器具などの照明負荷を遠隔制御する照明制御装置が採用されている。この照明制御装置では、１つの制御局と複数の子局とが同じ無線ネットワークに属し、制御局からの制御で各子局の照明負荷を制御している（例えば、特許文献１参照。）。
【０００３】
無線ネットワークはチャンネルおよびＩＤなどを含む無線ネットワーク識別信号を用いて構築されており、この無線ネットワーク識別信号を用いることで同じ無線ネットワークに属する制御局と子局とが通信可能とされている。この無線ネットワークの特徴で、２つの無線ネットワークが同一無線周波数を使用していても、無線ネットワーク識別番号が異なっていれば、キャリアの取り合いが発生するが、それぞれの無線ネットワークで通信が可能である。ただし、キャリアの取り合いがあるので、通信速度は低下することがある。
【０００４】
ところで、照明制御装置の無線ネットワークと別のシステムの無線ネットワークとで無線ネットワーク同士の衝突が起こった場合（この場合は無線周波数と無線ネットワーク識別番号が同じ場合）、照明制御装置の無線ネットワークで使用する無線ネットワーク識別番号を変更することで無線ネットワークが混同するのを回避することができる。
【０００５】
照明制御装置の無線ネットワークで使用する無線ネットワーク識別番号を変更する場合には、各制御局および子局に無線ネットワークの無線ネットワーク識別番号を変更するためのディップスイッチが各制御局および子局内の基板上などにあり、システム全体で同様のスイッチ・パターンを各制御局および子局において設定変更する。その後、全制御局および子局の設定変更が完了したら、システム全体をリセットまたは電源再投入し、無線ネットワークの初期化を経て、新たな無線ネットワークが構築できる。
【特許文献１】特表平１１−５１４８２９号公報（第１５頁、図２）
【発明の開示】
【発明が解決しようとする課題】
【０００６】
しかしながら、従来の照明制御装置では、無線ネットワーク識別番号を変更する場合に、全制御局および子局の１台ずつ内部にあるディップスイッチをシステム全体で同様のスイッチ・パターンに設定変更し、最後にシステム全体をリセットまたは電源再投入する必要があるので、新たな無線ネットワークを構築するまでに時間がかかり、その間は照明負荷を制御できない問題がある。
【０００７】
本発明では、このような点に鑑みなされたもので、システム全体の無線ネットワーク識別番号の変更が短時間で簡単かつ確実にできる照明制御装置を提供することを目的とする。
【課題を解決するための手段】
【０００８】
請求項１記載の照明制御装置は、無線ネットワーク識別番号を設定する設定器と；特定の無線ネットワーク識別番号を用いる無線ネットワークを通じて通信し、照明負荷が通信可能に接続された複数の子局と；特定の無線ネットワーク識別番号を用いる無線ネットワークを通じて同じ無線ネットワークに属する子局を通じて照明負荷を制御する制御局であって、設定器からの無線ネットワーク識別番号の変更指令を受けた際に、同じ無線ネットワークに属する全ての子局に対して変更する無線ネットワーク識別番号情報を送信して無線ネットワーク識別番号の設定を変更させた後、自己の無線ネットワーク識別番号の設定を変更し、変更後の無線ネットワーク識別番号を用いて通信する子局を特定して変更後の無線ネットワークに加入させる制御局と；を具備しているものである。
【０００９】
無線ネットワーク識別番号は、無線ネットワークを特定するための例えばチャンネルやＩＤなどが含まれる。設定器は、例えば、持ち運び可能な端末や制御局に接続された端末などが含まれ、持ち運び可能な端末の場合には制御局や子局との間で無線通信を可能とする。照明負荷は、例えば、ランプや発光ダイオードなどの光源を用いた照明器具などが含まれる。子局は、例えば、１つまたは複数の照明負荷と有線接続されて通信可能とする場合が含まれ、照明器具などの照明負荷のほか、人感センサ、照度センサ、壁スイッチなどとも有線接続されて通信可能としてもよい。制御局は、例えば、就業日や就業時間帯に応じた曜日や時間帯、窓際で外光が入射する照明環境などに応じて照明負荷の点灯、調光、消灯といった制御内容のスケジュールに従って子局を通じて照明負荷を制御する。
【００１０】
請求項２記載の照明制御装置は、請求項１記載の照明制御装置において、設定器は、制御局が子局の無線ネットワーク識別信号の設定を変更させたときに、少なくとも１つの子局から設定完了応答を制御局が得られない場合に、エラー表示を行うものである。
【発明の効果】
【００１１】
請求項１記載の照明制御装置によれば、設定器からの無線ネットワーク識別番号の変更指令を制御局が受けた際に、制御局から同じ無線ネットワークに属する全ての子局に対して変更する無線ネットワーク識別番号情報を送信して無線ネットワーク識別番号の設定を変更させた後であっても、制御局の無線ネットワーク識別番号の設定を変更し、制御局は変更後の無線ネットワーク識別番号を用いて通信する子局を特定して変更後の無線ネットワークに加入させるというように、無線ネットワーク識別番号の設定を変更して新たな無線ネットワークを構築するため、設定器よりシステムに対して無線ネットワーク識別番号の設定の変更指令を発するだけでシステム全体の無線ネットワーク識別番号の変更が行なえ、従来の方法に比べて短時間でシステム全体の設定が完了し、かつ物理的作業が格段に少ないので設定ミスを低減できる。
【００１２】
請求項２記載の照明制御装置によれば、請求項１記載の照明制御装置の効果に加えて、制御局が子局の無線ネットワーク識別信号の設定を変更させたときに、少なくとも１つの子局から設定完了応答を制御局が得られない場合に、そのことを設定器でエラー表示して知らせることができる。
【発明を実施するための最良の形態】
【００１３】
以下、本発明の一実施の形態を図面を参照して説明する。
【００１４】
図１は照明制御装置の構成図、図２は照明制御装置の制御局の構成図、図３は照明制御装置の子局の構成図、図４は照明制御装置の照明負荷の構成図、図５は照明制御装置の設定器の構成図である。
【００１５】
図１に示すように、照明制御装置11は、例えば、オフィスビルや各種施設などの各フロアや各エリアなどの照明エリアに設置される複数の照明負荷としての照明器具12を遠隔制御したり、図示しない人感センサ、照度センサおよび壁スイッチなどを遠隔監視して複数の照明器具12を集中制御するものである。
【００１６】
照明制御装置11は、親局である１つの制御局13と複数の子局14とを有し、これら１つの制御局13と複数の子局14とが特定の無線ネットワーク識別番号を用いる無線ネットワーク15を通じて通信可能としている。無線ネットワーク識別番号には、無線ネットワークを特定するための例えばチャンネルやＩＤなどが含まれている。各子局14は、通信線16を通じて、複数の照明器具12や図示しない人感センサ、照度センサおよび壁スイッチなどと通信可能としている。
【００１７】
照明制御装置11の各種の設定事項、例えば目標照度、目標調光率、フェード時間、人感保持時間などの設定や無線ネットワーク識別信号の設定などに設定器17が用いられる。設定器17は、例えばシステム設定時の利便性を考え、乾電池を電源としたハンディタイプの端末で構成され、制御局13や子局14に対して無線通信18によって通信可能としている。
【００１８】
図２に示すように、制御局13は、無線通信をする無線部20、無線信号を送受信するアンテナ21、システム全体を制御する制御部22を有している。制御部22は、無線ネットワーク識別番号などを記憶する不揮発性のメモリを有し、設定器17からの無線ネットワーク識別番号の変更指令を受けた際に、同じ無線ネットワーク15に属する全ての子局14に対して変更する無線ネットワーク識別番号情報を送信して無線ネットワーク識別番号の設定を変更させた後、自己の無線ネットワーク識別番号の設定を変更し、変更後の無線ネットワーク識別番号を用いて通信する子局14を特定して変更後の無線ネットワーク15に加入させる機能を有している。
【００１９】
図３に示すように、子局14は、無線通信をする無線部24、無線信号を送受信するアンテナ25、通信線16を通じて照明器具12などと有線通信する有線通信部26、無線部24と有線通信部26との信号を相互に変換する制御部27を有している。制御部27は、無線ネットワーク識別番号などを記憶する不揮発性のメモリを有し、無線ネットワーク識別番号の設定が変更された場合に、変更後の無線ネットワーク識別番号を用いて制御局13に対して新たな無線ネットワーク15への加入を要求する機能を有している。
【００２０】
図４に示すように、照明器具12は、通信線16を通じて子局14と有線通信する有線通信部29、光源としてのランプ30の点灯、消灯や調光点を制御するインバータ部31、制御局13からの指令に従ってインバータ部31を通じてランプ30の点灯状態を制御する照明制御部32を有している。
【００２１】
図５に示すように、設定器17は、制御局13や子局14と無線通信をする無線部34、無線信号を送受信するアンテナ35、設定者が操作するスイッチパネル36、スイッチパネル36の操作に対応して制御局13や子局14に指令を発する制御部37を有している。
【００２２】
次に、本実施の形態の作用を説明する。
【００２３】
制御局13は、例えば、予め設定されているスケジュールに従い、各子局14を通じて各照明器具12の点灯状態を制御する。制御局13と各子局14との間は、予め設定されている特定の無線ネットワーク識別信号を用いる無線ネットワーク15を通じて無線通信する。
【００２４】
そして、照明制御装置11の無線ネットワーク15と別のシステムの無線ネットワークとで無線周波数および無線ネットワーク識別番号の衝突が起こるなどして、照明制御装置11の無線ネットワーク識別信号を変更する場合について説明する。この変更処理は、次の第１段階から第３段階の順に段階的に処理する。
【００２５】
第１段階では、設定器17上でユーザーが選択した変更する無線ネットワーク識別信号情報とともに変更を指令する信号を制御局13に送信する。制御局13は、設定器17からの変更指令を受信し、変更する無線ネットワーク識別信号をメモリに設定（記憶）する。制御局13からは、同じ無線ネットワーク15に属している全ての子局14に対して個別に変更する無線ネットワーク識別信号情報とともに変更を指令する信号を送信する。各子局14は、制御局13から変更指令を受信し、変更する無線ネットワーク識別信号をメモリに設定（記憶）する。このとき、制御局13は、同じ無線ネットワーク15に属している全ての子局14からの設定完了応答を受信することを待機する。しかし、何らかの障害により全ての子局14からの設定完了応答が得られないことが考えられるので、ある決められた時間（例えば３分）が経過するまで待機して、時間経過後までに応答が無い子局14のアドレスを制御局13内のメモリに記憶し、かつ設定器17にアドレス情報を送信し、設定器17にてエラー情報として表示する。
【００２６】
第２段階として、制御局13は、第１段階が完了した時点で、設定完了応答が得られた全ての子局14に対して個別にリセット指令を送信する。各子局14は、リセット指令を受信することにより、通信時に用いる無線ネットワーク識別信号を変更前のものから変更後のものにリセットし、変更後の無線ネットワーク識別信号を用いる無線ネットワーク15への加入を要求する加入要求を変更後の無線ネットワーク識別信号を用いて送信する。加入要求の送信は、変更後の無線ネットワーク識別信号を用いる無線ネットワーク15に加入するまで、ある決められた間隔（例えば１分間隔）で送信する。
【００２７】
第３段階として、制御局13は、第１段階で得られた設定完了応答を受信した全子局14に対してリセット指令を送信できたら、制御局13の通信時に用いる無線ネットワーク識別信号を変更前のものから変更後のものにリセットする。これにより、制御局13は、新規の無線ネットワーク15を宣言した後、各子局14からの加入要求を受信し、加入を許可すると制御局13と許可を受けた子局14とで通信が行えるようになる。
【００２８】
制御局13は、第１段階でリセット指令を送信した全子局14からの加入要求を受信し、加入を許可すると無線ネットワーク15の構築が完了となる。しかし、何らかの障害により第１段階でリセット指令送信した全ての子局14からの加入要求が得られないことが考えられるので、ある決められた時間（例えば１０分）内に加入要求が無い子局14のアドレスを制御局13内のメモリに記憶し、かつ設定器17にアドレス情報を送信し、設定器17にてエラー情報として表示する。ただし、この時間を過ぎても加入要求は受信可能とし、いつでも加入処理が行える。
【００２９】
このように、設定器17からの無線ネットワーク識別番号の変更指令を制御局13が受けた際に、制御局13から同じ無線ネットワーク15に属する全ての子局14に対して変更する無線ネットワーク識別番号情報を送信して無線ネットワーク識別番号の設定を変更させた後、制御局13の無線ネットワーク識別番号の設定を変更し、制御局13は変更後の無線ネットワーク識別番号を用いて通信する子局14を特定して変更後の無線ネットワーク15に加入させるというように、段階的に無線ネットワーク識別番号の設定を変更して新たな無線ネットワーク15を構築するため、作業者は設定器17で操作するだけで、システム全体の無線ネットワーク識別番号を変更することができ、短時間に簡単かつ確実に作業が行える。
【図面の簡単な説明】
【００３０】
【図１】本発明の一実施の形態を示す照明制御装置の構成図である。
【図２】同上照明制御装置の制御局の構成図である。
【図３】同上照明制御装置の子局の構成図である。
【図４】同上照明制御装置の照明負荷の構成図である。
【図５】同上照明制御装置の設定器の構成図である。
【符号の説明】
【００３１】
11    照明制御装置
12    照明負荷としての照明器具
13    制御局
14    子局
15    無線ネットワーク
17    設定器
【図１】
2007287680.tif 000003
【図２】
2007287680.tif 000004
【図３】
2007287680.tif 000005
【図４】
2007287680.tif 000006
【図５】
2007287680.tif 000007